(57)【特許請求の範囲】
【請求項１】
第１の主面と，前記第１の主面とは反対側の第２の主面とを有する半導体基板と，
前記半導体基板の前記第１の主面に設けられた受光部と，
前記受光部と電気的に接続するように，前記半導体基板の前記第１の主面に設けられた電極と，
前記電極と電気的に接続され，かつ前記半導体基板の前記第１の主面と前記第２の主面とを繋ぐように，前記半導体基板に設けられた貫通配線層と，
前記半導体基板の前記第１の主面を覆うように，前記受光部上に所定の間隙を介して配置された光透過性保護部材と，
前記光透過性保護部材の表面に設けられ，凹凸形状を備え，かつ前記受光部上に開口を有する保護膜と
を具備することを特徴とする半導体装置。
【請求項２】
請求項１記載の半導体装置において，
前記保護膜は前記光透過性保護部材の外周部から内側に向けて後退していることを特徴とする半導体装置。
【請求項３】
請求項１または２に記載の半導体装置において，
前記保護膜上を含めて前記光透過性保護部材の表面を覆うように設けられ，前記保護膜より薄く，かつシリコン酸化物またはシリコン窒化物からなる第２の保護膜を具備することを特徴とする半導体装置。
【請求項４】
第１の主面と，前記第１の主面とは反対側の第２の主面とを有し，前記第１の主面に受
光部と前記受光部と電気的に接続された電極とが設けられた半導体基板を用意する工程と，
凹凸形状を備え，かつ前記受光部に対応する開口を有する保護膜が一方の面に形成された光透過性保護部材を用意する工程と，
前記受光部上に所定の間隙を形成しつつ，前記半導体基板の前記第１の主面と前記光透過性保護部材の他方の面とを貼り合わせる工程と，
前記電極を露出させるように，前記半導体基板の前記第２の主面から前記第１の主面に向けて前記半導体基板に貫通孔を形成する工程と，
前記貫通孔内から前記半導体基板の前記第２の主面に亘って，前記貫通孔内に露出する前記電極と接続する配線層を形成する工程と
を具備することを特徴とする半導体装置の製造方法。
【発明の詳細な説明】
【技術分野】
【０００１】
本発明は半導体装置とその製造方法に関する。
【背景技術】
【０００２】
半導体集積回路技術を用いたＣＣＤやＣＭＯＳイメージセンサ等の半導体装置は、デジタルカメラやカメラ機能付き携帯電話に広く利用されている。このような半導体装置においては搭載部品の小型・軽量に対応するために、センサチップ（半導体素子）をＣＳＰ（Ｃｈｉｐ  Ｓｉｚｅ  Ｐａｃｋａｇｅ）にすることが提案されている。
【０００３】
センサチップ（半導体素子）をＣＳＰ化するにあたって、半導体素子（半導体基板）には表裏両面間を繋ぐ貫通孔が設けられ、この貫通孔内に形成された導電体層（貫通配線層）によって、半導体基板の表面に設けられた受光部を含む集積回路と裏面に設けられた外部接続端子とを電気的に接続している。個片化された半導体装置は光学レンズ付きケースを装着した状態で、モジュール基板に実装されてカメラモジュールとなる。
【０００４】
その際、半導体基板の表面に設けられた受光部を埃やゴミから保護するために、受光部を含む領域を覆うように光透過性保護部材が配置される（特許文献１参照）。ガラス基板等の光透過性保護部材は、受光部を含む集積回路が形成された半導体基板上に所定の間隙を設けて平行に配置される。ガラス基板は半導体基板の受光部の外縁を囲むように配置された接着樹脂によって、半導体基板と接着される。接着樹脂は最終的に封止部材となるものであり、受光部上には半導体基板とガラス基板とに挟まれた空隙が形成される。
【０００５】
このような半導体装置は、例えば以下のようにして作製される。まず、受光部を含む集積回路が形成された半導体基板とガラス基板とを接着樹脂を介して貼り合わせる。次いで、半導体基板をその裏面側から所定の厚さまで薄肉化した後、表面側の電極が露出するまで半導体基板を裏面側からエッチングして貫通孔を形成する。さらに、電極で塞がれた貫通孔の底部を除いて、貫通孔の内壁面や半導体基板の裏面に絶縁膜を形成した後、貫通孔の内部から半導体基板の裏面に亘って貫通配線層を形成する。この後、半導体基板の裏面を保護層で覆うと共に、貫通配線層に外部接続端子を形成する。これらの製造工程において、ガラス基板は半導体基板を機械的に補強する支持基板の役割を果たす。
【０００６】
しかしながら、上述したような方法で作製される従来の半導体装置は、搬送時や加工装置のステージ等に設置する際に、ガラス基板の表面を直接触ることになるために、ガラス基板にキズやクラック等が生じやすいという問題を有している。ガラス基板に生じたキズやクラックは入射光を散乱させ、受光部の感度や半導体装置の製造歩留りを低下させる要因となる。さらに、接着樹脂が光透過性を有する場合には、斜め方向から入射した光が接着樹脂で屈折されて受光部に入射し、画像周縁部の撮像特性等が劣化してしまう。
【特許文献１】国際公開第２００５／０２２６３１号パンフレット
【発明の開示】
【発明が解決しようとする課題】
【０００７】
本発明の目的は、半導体基板上に配置される光透過性保護部材にキズやクラック等が生じることを抑制することによって、受光特性や製造歩留り等を向上させることを可能にした半導体装置とその製造方法を提供することにある。
【課題を解決するための手段】
【０００８】
本発明の態様に係る半導体装置は、第１の主面と、前記第１の主面とは反対側の第２の主面とを有する半導体基板と、前記半導体基板の前記第１の主面に設けられた受光部と、前記受光部と電気的に接続するように、前記半導体基板の前記第１の主面に設けられた電極と、前記電極と電気的に接続され、かつ前記半導体基板の前記第１の主面と前記第２の主面とを繋ぐように、前記半導体基板に設けられた貫通配線層と、前記半導体基板の前記第１の主面を覆うように、前記受光部上に所定の間隙を介して配置された光透過性保護部材と、前記光透過性保護部材の表面に設けられ、前記受光部上に開口を有する保護膜とを具備することを特徴としている。
【０００９】
本発明の態様に係る半導体装置の製造方法は、第１の主面と、前記第１の主面とは反対側の第２の主面とを有し、前記第１の主面に受光部と前記受光部と電気的に接続された電極とが設けられた半導体基板を用意する工程と、前記受光部に対応する開口を有する保護膜が一方の面に形成された光透過性保護部材を用意する工程と、前記受光部上に所定の間隙を形成しつつ、前記半導体基板の前記第１の主面と前記光透過性保護部材の他方の面とを貼り合わせる工程と、前記電極を露出させるように、前記半導体基板の前記第２の主面から前記第１の主面に向けて前記半導体基板に貫通孔を形成する工程と、前記貫通孔内から前記半導体基板の前記第２の主面に亘って、前記貫通孔内に露出する前記電極と接続する配線層を形成する工程とを具備することを特徴としている。
【発明の効果】
【００１０】
本発明の態様に係る半導体装置とその製造方法においては、光透過性保護部材の表面に受光部上に開口を有する保護膜を設けているため、光透過性保護部材にキズやクラック等が生じることを抑制することができる。従って、受光部を有する半導体装置の特性や製造歩留り等を向上させることが可能になる。
【発明を実施するための最良の形態】
【００１１】
以下、本発明を実施するための形態について、図面を参照して説明する。図１は本発明の第１の実施形態による半導体装置を示している。図１に示す半導体装置１は半導体基板２を具備している。半導体基板２にはシリコン（Ｓｉ）基板等が用いられる。半導体基板２は第１の主面２ａとそれとは反対側の第２の主面２ｂとを有している。第１の主面（表面）２ａはフォトダイオード、トランジスタ等の半導体素子やそれらを結ぶ配線等を含む能動素子領域の形成面となり、第２の主面（裏面）２ｂは外部接続端子の形成面となる。
【００１２】
半導体基板２の第１の主面２ａには受光部３を含む能動素子領域が設けられている。受光部３はフォトダイオード等の受光素子を有しており、第１の主面２ａに照射される光や電子等のエネルギー線を受光してフォトダイオード等に収集するものである。半導体基板２の第１の主面２ａには、能動素子領域内の受光部３やそれ以外の素子、配線等と電気的に接続され、電気信号のインプット・アウトプットや電力の供給等を行う複数の電極４が設けられている。受光部３や電極４を含む能動素子領域を有する半導体基板２は、ＣＭＯＳイメージセンサ等のイメージセンサを構成している。
【００１３】
半導体基板２は第１の主面２ａと第２の主面２ｂとを繋ぐ貫通孔５を有している。貫通孔５の第１の主面２ａ側の開口は電極４で塞がれている。電極４は貫通孔５内に露出している。貫通孔５内には貫通配線層６となる導電材料が絶縁層（図示せず）を介して充填されている。貫通配線層６は電極４と電気的に接続されている。貫通配線層６は貫通孔５内から半導体基板２の第２の主面２ｂに亘って設けられている。
【００１４】
半導体基板２の第２の主面２ｂ上において、貫通配線層６は絶縁層（図示せず）を介して形成されている。貫通配線層６は半導体基板２の第１の主面２ａと第２の主面２ｂとを接続するものである。さらに、半導体基板２の第２の主面２ｂには、貫通配線層６と電気的に接続された外部接続端子７が設けられている。半導体基板２の第２の主面２ｂは、外部接続端子７を除いて保護層８で覆われている。半導体基板２の第２の主面２ｂ上に存在する貫通配線層６は保護層８で覆われている。
【００１５】
半導体基板２上には第１の主面２ａを覆うように光透過性保護部材９が配置されている。光透過性保護部材９は第１の主面２ａの周縁部に配置された接着層１０を介して、半導体基板２の第１の主面２ａと接着されている。光透過性保護部材９と半導体基板２の第１の主面２ａとの間には、接着層１０の厚さに基づいて形成された間隙１１が介在されている。すなわち、半導体基板２の第１の主面２ａに設けられた受光部３上には間隙１１を介して光透過性保護部材９が配置されている。
【００１６】
光透過性保護部材９の表面９ａ、すなわち半導体基板２の第１の主面２ａと対向する面９ｂとは反対側の面９ａには保護膜１２が形成されている。保護膜１２は受光部３上に設けられた開口１２ａを有している。すなわち、保護膜１２は受光部３への光や電子等のエネルギー線の入射を妨げないように開口１２ａを有しており、この開口１２ａを除く光透過性保護部材９の表面９ａの周縁部のみに設けられている。保護膜１２は少なくとも受光部３上に位置する部分が開口されている。開口１２ａの大きさは受光部３で受光するエネルギー線の入射角度等を考慮して設定されるものであり、受光部３より大きくてもよい。
【００１７】
第１の実施形態の半導体装置１は、例えば以下のようにして作製される。まず、図２に示すように、第１の主面２ａに受光部３と電極４とが設けられた半導体基板２を用意する。半導体基板２は半導体ウェハとして供給され、受光部３や電極４は半導体ウェハの各装置構成領域の能動素子領域内に設けられる。電極４は能動素子領域内の受光部３やそれ以外の素子、配線等と電気的に接続される。さらに、半導体基板２の第１の主面２ａの受光部３を除く外周領域に接着層１０を形成する。接着層１０にはエポキシ系樹脂、ポリイミド系樹脂、アクリル系樹脂等からなる接着剤が用いられる。
【００１８】
次に、図３に示すように、半導体基板（半導体ウェハ）２とほぼ同じ大きさを有する光透過性保護部材９を用意する。光透過性保護部材９としては、例えばホウ珪酸ガラス、石英ガラス、ソーダ石灰ガラス等からなるガラス基板が用いられる。透過させる光が赤外光の場合、光透過性保護部材９はシリコン（Ｓｉ）、ガリウムヒ素（ＧａＡｓ）等で構成してもよい。光透過性保護部材９の表面９ａには、予め保護膜１２が形成されている。保護膜１２は半導体基板２の受光部３と対応する領域に開口１２ａが設けられている。
【００１９】
保護膜１２は、例えばスパッタ法、ＣＶＤ法、蒸着法、めっき法、スピンコート法、スプレーコート法、印刷法等により形成される。保護膜１２の構成材料としては、例えば高抵抗金属材料（Ｔｉ、ＴｉＮ、ＴｉＷ、Ｎｉ、Ｃｒ、ＴａＮ、ＣｏＷＰ等）、低抵抗金属材料（Ａｌ、Ａｌ−Ｃｕ、Ａｌ−Ｓｉ−Ｃｕ、Ｃｕ、Ａｕ、Ａｇ等）、多結晶シリコン、導電性を有する高分子化合物、導電性粒子を含有したエポキシ樹脂やポリイミド樹脂等の導電性樹脂材料が用いられる。保護膜１２は樹脂材料等の絶縁材料で形成してもよいが、ウェハ工程における静電チャック性等を考慮して導電性材料で形成することが好ましい。
【００２０】
さらに、保護膜１２は遮光性を有していることが好ましい。このような点から、保護膜１２を樹脂材料で形成する場合には、保護膜１２に遮光性を付与するために、樹脂材料にカーボンブラック等を添加して黒色化することが望ましい。上述した高抵抗金属材料や低抵抗金属材料は導電性と遮光性とを兼ね備えていることから、保護膜１２の構成材料として好ましいものである。保護膜１２は各種金属材料の単層膜で構成してもよいし、また複数の金属材料層を積層した多層膜で構成してもよい。
【００２１】
光透過性保護部材９の表面９ａにおいて、保護膜１２は半導体基板２の受光部３に対応する領域（光透過領域）を除く外周領域に設けられている。光透過性保護部材９の光透過領域の表面９ａは、保護膜１２に対して凹状となっている。すなわち、保護膜１２は光透過性保護部材９の表面９ａに対して凸状に形成されており、光透過性保護部材９の光透過領域の表面９ａは保護膜１２の厚さに基づいて凹状となっている。従って、ウェハ工程で光透過性保護部材９の表面９ａに直接触れることが防止される。このような効果を得る上で、保護膜１２は１〜５０μｍの範囲の厚さを有することが好ましい。
【００２２】
上述したような光透過性保護部材９を、保護膜１２を有する面９ａとは反対側の面９ｂが第１の主面２ａと対向するように半導体基板２上に配置する。そして、図３に示すように、接着層１０を介して光透過性保護部材９の面９ｂと半導体基板２の第１の主面２ａとを貼り合わせる。光透過性保護部材９と半導体基板２とは接着層１０を介して、例えば加圧・加熱することにより貼り合わせる。光透過性保護部材９と半導体基板２との間には、接着層１０の形成位置および厚さに基づいて間隙１１が形成される。半導体基板２の受光部３は間隙１１に露出するように配置される。
【００２３】
次に、図５に示すように、半導体基板２の第２の主面２ｂを機械研削、化学機械研磨（Ｃｈｅｍｉｃａｌ  Ｍｅｃｈａｎｉｃａｌ  Ｐｏｌｉｓｈｉｎｇ）、ウェットエッチング、ドライエッチング等により加工し、半導体基板２を第２の主面２ｂ側から薄肉化する。半導体基板２の厚さは５０〜１５０μｍ程度であることが好ましい。なお、この加工工程は予め薄肉化した半導体基板２を用いる場合には必要ではないが、光透過性保護部材９が半導体基板２を機械的に補強する支持基板の役割を果たすことから、半導体基板２の最終的な加工は光透過性保護部材９を貼り合わせた後に実施することが好ましい。
【００２４】
次いで、図６に示すように、半導体基板２の第２の主面２ｂ側から第１の主面２ａに向けて貫通孔５を形成し、貫通孔５内に電極４を露出させる。貫通孔５は半導体基板２の第２の主面２ｂ側に配置された所定パターンのマスク（図示せず）を用いて、半導体基板２をプラズマエッチング法等でエッチングすることにより形成される。貫通孔５はレーザエッチング法で形成してもよい。この場合にはマスクは不要である。貫通孔５は例えば電極４の近傍で第１の主面２ａに向けて凸状の断面形状を有する。
【００２５】
続いて、図７に示すように、貫通孔５内から半導体基板２の第２の主面２ｂに亘って貫通配線層６を形成する。貫通配線層６と半導体基板２との間を絶縁するために、貫通孔５内や第２の主面２ｂ上には予め絶縁層（図示せず）を形成する。貫通孔５の絶縁層には予め開口が設けられているため、貫通配線層６は電極４と接続される。
【００２６】
貫通配線層６は所定パターンのマスク（図示せず）を用いて、スパッタ法、ＣＶＤ法、蒸着法、めっき法、印刷法等により形成される。貫通配線層６には、例えば高抵抗金属材料（Ｔｉ、ＴｉＮ、ＴｉＷ、Ｎｉ、Ｃｒ、ＴａＮ、ＣｏＷＰ等）や低抵抗金属材料（Ａｌ、Ａｌ−Ｃｕ、Ａｌ−Ｓｉ−Ｃｕ、Ｃｕ、Ａｕ、Ａｇ、半田材等）が用いられる。これらは単層構造もしくは複数の材料層を積層した多層構造で配線層（導電層）を構成する。
【００２７】
この後、図８に示すように、貫通配線層６に外部接続端子７を形成し、この外部接続端子７を除いて半導体基板２の第２の主面２ｂを覆うように保護層８を形成する。外部接続端子７は例えば半田材で形成され、保護層８はポリイミド樹脂やエポキシ樹脂、あるいはソルダーレジスト材等で形成される。これら一連の工程（ウェハ工程）が終了した後に、半導体基板２を光透過性保護部材９と共にブレードで切断して個片化することによって、図１に示す半導体装置１が作製される。
【００２８】
第１の実施形態の半導体装置１においては、半導体基板２の第１の主面２ａ（受光部３を含む）を覆う光透過性保護部材９の表面９ａに、受光部３に対応する領域（光透過領域）に開口１２ａを有する保護膜１２を設けている。光透過性保護部材９の光透過領域の表面９ａは保護膜１２に対して凹状になっているため、半導体基板２を薄肉化する工程や半導体基板２に貫通孔５を形成する工程等において、光透過性保護部材９の光透過領域の表面９ａに直接触れるおそれがない。従って、光透過性保護部材９の表面９ａに生じるキズやクラック等が抑えられ、入射光の散乱を抑制することが可能となる。
【００２９】
さらに、保護膜１２を遮光性の材料で形成することによって、受光部３の周辺部にあたる光透過性保護部材９への斜め入射光が遮断される。従って、受光部３に不要な斜め方向から光が入射することを防止することができる。これらによって、受光部３を有する半導体装置１の特性や製造歩留り等を向上させることができると共に、撮像特性等の受光部３による特性を高めることが可能となる。すなわち、特性や製造歩留りに優れる半導体装置１を再現性よく提供することができる。
【００３０】
図９は第１の実施形態による半導体装置１の第１の変形例を示している。図９に示す半導体装置１において、光透過性保護部材９の表面９ａに設けられた保護膜１２は、光透過性保護部材９の周縁部表面が露出するように、光透過性保護部材９の外周部から内側に向けて後退している。言い換えると、保護膜１２は光透過性保護部材９の受光部３に対応する領域（光透過領域）を開口させる第１の開口１２ａに加えて、光透過性保護部材９の周縁部を露出させる第２の開口１２ｂを有している。
【００３１】
このように、保護膜１２を内側に向けて後退させ、光透過性保護部材９の周縁部を露出させることによって、半導体基板２を光透過性保護部材９と共に切断する際に、保護膜１２によるブレードの目詰まりが抑制される。従って、光透過性保護部材９の周縁部に大きなチッピングやクラック等が生じることが防止され、これによって半導体装置１の製造歩留りをさらに向上させることが可能となる。
【００３２】
図１０は第１の実施形態による半導体装置１の第２の変形例を示している。図１０に示す半導体装置１において、保護膜１２は凹凸形状を有している。保護膜１２の凹凸形状の具体例としては、図１１の平面図に示す線状や図１２の平面図に示す格子状等が挙げられる。また図１３に示すように、保護膜１２は針状の凹凸断面形状を有していてもよい。光透過性保護部材９上にレンズモジュール（図示せず）を搭載する際に、保護膜１２が接着剤に対するなじみ性を高めることに加えて、保護膜１２の凹凸部がアンカー効果を示すため、レンズモジュールの接着性が向上して機械的信頼性を高めることが可能となる。
【００３３】
次に、本発明の第２の実施形態による半導体装置について、図１４を参照して説明する。図１４は第２の実施形態による半導体装置２１の構成を示している。なお、図１と同一部分には同一符号を付して、その説明を一部省略する。図１４に示す半導体装置２１において、光透過性保護部材９の表面９ａには半導体基板２の受光部３に対応する領域を開口させる開口２２ａを有する第１の保護膜２２が設けられている。ここで、第１の保護膜２２は前述した第１の実施形態の保護膜１２と同一構成を有するものであり、開口２２ａの形状等も第１の実施形態の保護膜１２の開口１２ａと同一とされている。
【００３４】
さらに、光透過性保護部材９の表面９ａは第１の保護膜２２上を含めて第２の保護膜２３で覆われている。言い換えると、第２の保護膜２３は第１の保護膜２２上および開口２２ａに基づく光透過性保護部材９の露出表面９ａ上に設けられている。第２の保護膜２３は光透過性の非金属保護膜により構成されており、第１の保護膜２２より薄い膜厚を有している。第２の実施形態の半導体装置２１は、第２の保護膜２３以外の構成については第１の実施形態の半導体装置１と同様とされている。
【００３５】
光透過性の非金属保護膜からなる第２の保護膜２３は、ＣＶＤ法、スピンコート法、スプレーコート法等によって、開口２２ａを有する第１の保護膜２２の形状に沿うように形成される。第２の保護膜２３の構成材料としては、例えばシリコン酸化物（ＳｉＯ2）、シリコン窒化物（ＳｉＮx）、光透過性の樹脂等が用いられる。これらのうちでも、光透過性の点からシリコン酸化物（ＳｉＯ2）を適用することが好ましい。第２の保護膜２３は第１の保護膜２２より薄い膜厚を有している。そのような条件を満足させた上で、第２の保護膜２３の膜厚は例えば０．１〜１μｍの範囲とすることが好ましい。
【００３６】
第２の実施形態の半導体装置２１においては、第１の実施形態と同様な効果（光透過性保護部材９の表面９ａへのキズやクラックの抑制、半導体装置２１の特性や歩留りの向上）に加えて、第１の保護膜２２の表面からの加工装置への金属汚染を防止することができる。すなわち、第１の保護膜２２を金属膜で構成した場合においても、その表面を非金属保護膜からなる第２の保護膜２３で覆うことによって、第１の保護膜２２の表面からの加工装置への金属汚染を防止することができる。従って、半導体装置２１の製造歩留りをさらに向上させることが可能となる。
【００３７】
第２の保護膜２３は第１の保護膜２２より膜厚が薄いため、光透過性保護部材９の表面９ａの受光部３に対応する領域（開口２２ａによる露出部）は第１の保護膜２２に対して凹状となる。従って、ウェハ工程でキズ等が発生することはない。さらに、第２の保護膜２３をシリコン酸化物（ＳｉＯ2）や樹脂材料等の絶縁材料で構成した場合であっても、その厚さを十分に薄くすることで静電チャックを適用することができる。これらによって、製造効率や特性に優れる半導体装置２１を提供することが可能となる。
【００３８】
なお、本発明は上記した実施形態に限定されるものではなく、半導体基板の表裏両面間を貫通配線層で接続すると共に、半導体基板上に光透過性保護部材を配置する各種の半導体装置に適用することができる。そのような半導体装置も本発明に含まれるものである。また、本発明の実施形態は本発明の技術的思想の範囲内で拡張もしくは変更することができ、この拡張、変更した実施形態も本発明の技術的範囲に含まれるものである。
【図面の簡単な説明】
【００３９】
【図１】本発明の第１の実施形態による半導体装置を示す断面図である。
【図２】図１に示す半導体装置の製造工程における半導体基板の準備段階を示す図である。
【図３】図１に示す半導体装置の製造工程における光透過性保護部材の準備段階を示す図である。
【図４】図１に示す半導体装置の製造工程における半導体基板と光透過性保護部材との貼り合わせ段階を示す図である。
【図５】図１に示す半導体装置の製造工程における半導体基板の加工段階を示す図である。
【図６】図１に示す半導体装置の製造工程における貫通孔の形成段階を示す図である。
【図７】図１に示す半導体装置の製造工程における配線層の形成段階を示す図である。
【図８】図１に示す半導体装置の製造工程における外部接続端子および保護層の形成段階を示す図である。
【図９】図１に示す半導体装置の第１の変形例を示す断面図である。
【図１０】図１に示す半導体装置の第２の変形例を示す断面図である。
【図１１】図１０に示す光透過性保護部材の保護膜の一例を示す平面図である。
【図１２】図１０に示す光透過性保護部材の保護膜の他の例を示す平面図である。
【図１３】図１０に示す光透過性保護部材の保護膜の他の例を示す断面図である。
【図１４】本発明の第２の実施形態による半導体装置を示す断面図である。
【符号の説明】
【００４０】
１，２１…半導体装置、２…半導体基板、２ａ…第１の主面、２ｂ…第１の主面、３…受光部、４…電極、５…貫通孔、６…貫通配線層、７…外部接続端子、９…光透過性保護部材、１０…接着層、１１…間隙、１２…保護膜、１２ａ，１２ｂ…開口、２２…第１の保護膜、２２ａ…開口、２３…第２の保護膜。
【図１】
0004693827.tif 000002
【図２】
0004693827.tif 000003
【図３】
0004693827.tif 000004
【図４】
0004693827.tif 000005
【図５】
0004693827.tif 000006
【図６】
0004693827.tif 000007
【図７】
0004693827.tif 000008
【図８】
0004693827.tif 000009
【図９】
0004693827.tif 000010
【図１０】
0004693827.tif 000011
【図１１】
0004693827.tif 000012
【図１２】
0004693827.tif 000013
【図１３】
0004693827.tif 000014
【図１４】
0004693827.tif 000015